(57)【特許請求の範囲】
【請求項１】
内容物取出装置と、
容器に取付けられるとともに、内容物取出装置に装着される注出口であって、容器内面に密着される密着フランジと、密着フランジから容器の外方へ延びる筒状部材と、筒状部材の外端に設けられ、内容物取出装置に当接する結合部とを備え、結合部は内容物取出装置との当接面に密封部材用溝を有する注出口と、
注出口の内側に嵌込まれるキャップとを備え、
キャップの内容物取出装置側に、ねじが形成された装着凹部が設けられ、
内容物取出装置は装着凹部のねじに係合する外ねじが形成されたロッドと、ロッドの外ねじと反対側端部に設けられロッドを回動させてロッドを装着凹部に固定する第２ハンドルと、第２ハンドルとロッドの外ねじとの間に配置され駆動体を介してロッドをキャップ側へ前進させる第１ハンドルとを有することを特徴とする内容物取出装置と注出口とキャップとの組合体。
【請求項２】
結合部は筒状部材から直交して外方に延びる結合フランジからなることを特徴とする請求項１記載の組合体。
【請求項３】
結合フランジの筒状部材側の面は、筒状部材側に向ってその外形が小さくなるようテーパ状に形成されていることを特徴とする請求項１記載の組合体。
【発明の詳細な説明】
【０００１】
【発明の属する技術分野】
本発明は容器に取付けられるとともに、内容物取出装置に装着される注出口、および注出口とキャップとの組合体に関する。
【０００２】
【従来の技術】
従来、食品用の大型容器に取付けられる注出口として、容器内面に密着される密着フランジと、密着フランジから外方へ延びる筒状部材とを備えたものが知られている。このような注出口に対してキャップが嵌込まれる。
【０００３】
内容物の取出しに際しては、注出口からキャップが取外され、その後注出口に対して内容物取出装置が装着される。次に容器内の内容物が、注出口を介して内容物取出装置により取出される。
【０００４】
【発明が解決しようとする課題】
従来、注出口に対して内容物取出装置を装着する際、注出口に内容物取出装置と接合させるためのアダプタを設けるとともに、このアダプタと内容物取出装置とを接合部材によって接合している。
【０００５】
しかしながら注出口に対して、注出口と別体のアダプタを設けることは煩雑であり、装着作業に手間がかかるという問題がある。
【０００６】
本発明はこのような点を考慮してなされたものであり、内容物取出装置に対して容易かつ簡単に装着することができる注出口、および注出口とキャップとの組合体を提供することを目的とする。
【０００７】
【課題を解決するための手段】
本発明は、内容物取出装置と、容器に取付けられるとともに、内容物取出装置に装着される注出口であって、容器内面に密着される密着フランジと、密着フランジから容器の外方へ延びる筒状部材と、筒状部材の外端に設けられ、内容物取出装置に当接する結合部とを備え、結合部は内容物取出装置との当接面に密封部材用溝を有する注出口と、注出口の内側に嵌込まれるキャップとを備え、キャップの内容物取出装置側に、ねじが形成された装着凹部が設けられ、内容物取出装置は装着凹部のねじに係合する外ねじが形成されたロッドと、ロッドの外ねじと反対側端部に設けられロッドを回動させてロッドを装着凹部に固定する第２ハンドルと、第２ハンドルとロッドの外ねじとの間に配置され駆動体を介してロッドをキャップ側へ前進させる第１ハンドルとを有することを特徴とする内容物取出装置と注出口とキャップとの組合体である。
【０００８】
本発明によれば、注出口の結合部は、その当接面を内容物取出装置に当接させた状態で内容物取出装置に装着される。この場合、内容物取出装置側に設けられた密封部材が、結合部の当接面に形成された密封部材用溝内に嵌込まれ密封性が向上する。
【０００９】
【発明の実施の形態】
以下、図面を参照して本発明の実施の形態について説明する。図１乃至図５は本発明による注出口および注出口とキャップとの組合体を示す図である。
【００１０】
図１において、注出口１０は食品用の大型柔軟容器１に取付けられており、内容物取出装置３０に装着自在となっている。大型柔軟容器１はクリーム等の食品を内容物として収納するものであり、段ボール製外箱５によって外方から囲まれて保護されている。
【００１１】
図１乃至図３に示すように注出口１０は、容器１の内面に密着される密着フランジ１２と、密着フランジ１２に連結され容器１の外方へ延びる円筒状の筒状部材１１と、筒状部材１１の外端に設けられた結合フランジ１３とを備えている。結合フランジ１３は筒状部材１１に対して直交する方向へ向って延びており、また内容物取出装置３０側と当接するようになっている。また、結合フランジ１３の外面（内容物取出装置との当接面）には、ガスケット２７等の密封部材が嵌込まれる密封部材用溝１３ａが形成されている。また結合フランジ１３の筒状部材１１側の面は、筒状部材１１に向ってその外形が徐々に小さくなるようテーパ状に形成されている。
【００１２】
また注出口１０の筒状部材１１の外面には、環状に延びる一対の外側係合部１１ａ，１１ｂが設けられている。
【００１３】
図２に示すように、外側係合部１１ａ，１１ｂのうち、外側係合部１１ａは外面が六角形状に形成されており、六角形外面の一面において、外箱５の開口５ａの端面と当接している。
【００１４】
すなわち外箱５には、注出口１０が貫通する開口５ａが形成されており、注出口１０は開口５ａ内に配置され、外側係合部１１ａの一面が開口５ａの端面に当接している。そして外側係合部１１ａの一面が開口５ａの端面に当接することにより、注出口１０が開口５ａ内において回転方向に移動しないよう係止されるようになっている。
【００１５】
また外側係合部１１ｂは外面が円形状に形成され、外側係合部１１ａと外側係合部１１ｂとの間には、外方からスライド板３が挿着され注出口１０が開口５ａ内において軸線方向に移動しないよう係止されている。
【００１６】
また筒状部材１１の内面には係合突起１４ａ，１４ｂが設けられている（図２および図３参照）。このような構成からなる注出口１０は、ＨＤＰＥまたは超高分子量ＰＥからなっている。
【００１７】
図１および図３に示すように、注出口１０内には密着フランジ１２側からキャップ２０が嵌込まれて注出口１０とキャップ２０との組合体が構成されている。
キャップ２０は円筒状キャップ本体２１と、キャップ本体２１に連結されるとともに注出口の密着フランジ１２に対向して設けられた対向フランジ２５とを備えている。対向フランジ２５は容器１内面のうち、注出口１０の密着フランジ１２に向い合う部分に密着されている。
【００１８】
またキャップ本体２１の外面には、注出口１０の筒状部材１１に設けられた係合突起１４ａ，１４ｂと各々係合して筒状部材１１とキャップ本体２１との密封性を向上させる係合凹部２１ａ，２１ｂが設けられている。さらにキャップ本体２１の略中央部には、後述する内容物取出装置３０のロッド３２が挿着される挿着凹部２２が形成され、挿着凹部２２の内面にはロッド３２の先端部に設けられた外ねじ３２ａと係合する内ねじ２２ａが設けられている。
【００１９】
さらにキャップ本体２１の内容物取出装置側外面には、Ｏリング用溝２３が環状に設けられ、このＯリング用溝２３内にＯリング２６が嵌込まれている。
【００２０】
次に図１により内容物取出装置３０について詳述する。内容物取出装置３０は分岐管３３を有する装置本体３１と、装置本体３１内に設けられたロッド３２とを備え、ロッド３２の先端部には前述のように、キャップ２０の挿着凹部２２に設けられた内ねじ２２ａと係合する外ねじ３２ａが設けられている。また装置本体３１の注出口１０側先端部には、注出口１０の結合フランジ１３と当接する取付フランジ３８が設けられている。
【００２１】
また装置本体３１の注出口１０と反対側には、第１ハンドル３６によって回転する駆動体３４が回転自在に取付けられており、さらにロッド３２の注出口１０と反対側には、第２ハンドル３７が取付けられている。また装置本体３１内には、その外面において駆動体３４とねじ係合して回転するとともに、その内面においてロッド３２とねじ係合してロッド３２を前進させるねじ体３５が配設されている。
【００２２】
次にこのような構成からなる本発明の形態の作用について説明する。まず柔軟容器１内にクリーム等の内容物が無菌室で無菌充てんされ、その後容器１の内面に取付けられた注出口１０に対して、容器１の内面のうち注出口１０に向い合う部分に取付けられたキャップ２０が嵌込まれる（図１実線位置）。この場合、注出口１０の係合突起１４ａ，１４ｂがキャップ２０の係合凹部２１ａ，２１ｂに係合して、注出口１０とキャップ２０との密封性が保たれる。また容器１は段ボール製外箱５によって保護されている。また注出口１０の結合フランジ１３に、図示しない蓋を装着してもよい。
【００２３】
次に注出口１０が、内容物取出装置３０に装着される。まずスライド板３が外箱５外面に沿って注出口１０外側へ送られ、注出口１０の外側係合部１１ａと外側係合部１１ｂとの間に挿着される。このようにしてスライド板３によって注出口１０の軸方向の移動が係止され、また注出口１０の回転方向の移動は外側係合部１１ａと当接する外箱５の開口５ａ端面により係止される。
【００２４】
次に注出口１０の結合フランジ１３に対して、内容物取出装置３０の取付フランジ３８を当接させ結合フランジ１３と取付フランジ３８をクランプ４０によって固定する。この場合、予め取付フランジ３８の結合フランジ１３側当接面にはガスケット２７が取付けられており、このガスケット２７が結合フランジ１３の密封部材用溝１３ａ内に嵌込まれて、結合フランジ１３と取付フランジ３８との間の密封性が確保される。またクランプ４０は結合フランジ１３の筒状部材１１側の面と、取付フランジ３８の装置本体３１側の面に係合しており、結合フランジ１３および取付フランジ３８のクランプ４０との係合面はテーパ状となっている。クランプ４０は半径方向内方に移動して結合フランジ１３と取付フランジ３８を固定するものであるため、結合フランジ１３と取付フランジ３８のクランプ係合面をテーパ状に形成することにより、クランプ４０による固定作業を効果的に行なうことができる。
【００２５】
次にまず第２ハンドル３７によってロッド３２が回転して、ロッド３２の外ねじ３２ａがキャップ２０の挿着凹部２２に設けられたねじ２２ａ内に進入する。このようにロッド３２を挿着凹部２２内に堅固に固定した後、次に第１ハンドル３６によって駆動体３４を回転させる。駆動体３４の回転によってねじ体３５を介してロッド３２が回転することなくキャップ２０側へ前進する。
【００２６】
この間、注出口１０はクランプ４０によって内容物取出装置３０の装置本体３１に固定されているので、ロッド３２の前進によりキャップ２０が注出口１０から離れ、注出口１０が開となる。その後、容器１内の内容物は、注出口１０から内容物取出装置３０の装置本体３１内を通って分岐管３３から外方へ取出される。
【００２７】
以上のように本実施の形態によれば、注出口１０を、その結合フランジ１３によって内容物取出装置３０の取付フランジ３８に直接装着することができる。このため注出口１０を内容物取出装置に装着する際、アダプタ等を用いる必要はなく、内容物の取出を容易に行なうことができる。
【００２８】
次に本発明の他の実施の形態について説明する。図４に示すように注出口１０の筒状部材１１に結合フランジ１３を設けた例を示したが、これに限らず図５に示すように筒状部材１１の内容物取出装置３０側端部を結合部１６とし、この結合部１６に密封部材用溝１６ａを設けてもよい。この場合に結合部１６と内容物取出装置３０の取付フランジ３８とは、クランプ４０とは別の固定部材により固定される。
【００２９】
また容器１に設ける注出口１０の数は、１個に限る必要はなく、２個または３個であってもよい。また容器１は一重フィルムで構成する場合に限らず二重フィルムにより構成してもよい。
【００３０】
【発明の効果】
以上のように本発明によれば、注出口を結合部によって内容物取出装置に直接装着することができる。このためアダプタ等を用いることなく注出口の装着作業を容易に行なうことができる。
【図面の簡単な説明】
【図１】本発明による注出口、および注出口とキャップとの組合体を示す図。
【図２】注出口を示す拡大図。
【図３】注出口とキャップとの嵌込状態を示す拡大図。
【図４】注出口の結合フランジを示す拡大図。
【図５】注出口の他の実施の形態を示す拡大図。
【符号の説明】
１  柔軟容器
５  外箱
１０  注出口
１１  筒状部材
１２  密着フランジ
１３  結合フランジ
１６  結合部
２０  キャップ
３０  内容物取出装置
【図１】
0003908826.tif 000002
【図２】
0003908826.tif 000003
【図３】
0003908826.tif 000004
【図４】
0003908826.tif 000005
【図５】
0003908826.tif 000006